(57)【要約】【課題】  コンテンツ保護が掛かった画像とコンテンツ保護の掛かっていない既知の画像とを領域分割合成した画像を再出力する際、コンテンツ保護の掛かっていない既知の画像の変換状況に基づきコンテンツ保護が掛かった画像のスクランブルを不正に解除されてしまう可能性がある。【解決手段】  コンテンツ保護が必要な画像データに対してのみスクランブルを掛け、どの画素にスクランブルが施されたかを表示装置に通知する。或いはウィンドウ毎に個別の異なるスクランブルを掛け、何れの画素にどの様なスクランブルが施されたかを通知する。【選択図】  図１
2006295308.tif 000002
【特許請求の範囲】
【請求項１】
複数の映像ソースに基づく画像を合成して表示装置に表示させる画像制御装置であって、
コンテンツ保護がなされた第１の映像ソースとコンテンツ保護のなされていない第２の映像ソースとを入力する入力部と、
該第１の映像ソースと該第２の映像ソースとから合成画像データを生成する画像合成部と、
該第１の映像ソースに基づく合成画像の表示部分に対応する該合成画像データにはスクランブル処理を施し、
該第２の映像ソースに基づく合成画像の表示部分に対応する該合成画像データにはスクランブル処理を施さないスクランブル処理部と、
該合成画像データを出力する出力部とを有することを特徴とする画像制御装置。
【請求項２】
複数の映像ソースに基づく画像を合成した合成画像データに基づいて画像を表示する表示装置であって、
該合成画像データを入力する表示入力部と、
該合成画像を表示する表示部とを有し、
該合成画像データは、スクランブル処理がなされた第１の映像ソースとスクランブル処理のなされていない第２の映像ソースとから生成され、
該第１の映像ソースに基づく合成画像の表示部分に対応する該合成画像データにはデスクランブル処理を施こし、
該第２の映像ソースに基づく合成画像の表示部分に対応する該合成画像データにはデスクランブル処理を施さないことを特徴とする表示装置。
【請求項３】
前記画像制御装置は、前記スクランブル処理を施す領域を指定したスクランブル領域情報を前記表示装置に通知するスクランブル領域情報伝達手段を有する請求項１記載の画像制御装置。
【請求項４】
前記画像制御装置は、前記スクランブル処理を施していない領域を指定した非スクランブル領域情報を前記表示装置に通知するスクランブル領域情報伝達手段を有する請求項１記載の画像制御装置。
【請求項５】
前記スクランブル領域は矩形であり、前記スクランブル領域情報は該矩形の対角位置の座標を含む請求項３記載の画像制御装置。
【請求項６】
前記スクランブル領域情報は、表示レイアウトが変更された際に通知される請求項３記載の画像制御装置。
【請求項７】
前記スクランブル領域情報は、所定数のフレームごとに通知される請求項３記載の画像制御装置。
【請求項８】
前記スクランブル領域情報は、各画素ごとに前記スクランブル処理が施されているか否かの判別情報を含み、各画素の画像データと共に通知される請求項３記載の画像制御装置。
【請求項９】
前記画像制御装置は、ＯＳＤ発生器を有し、ＯＳＤ表示部に対しては前記スクランブル処理を施さない請求項７記載の画像制御装置。
【請求項１０】
前記画像制御装置は、前記第１と第２の映像ソースのうち、主となる映像ソースに付随した音声データを選択する音声選択部と、
前記選択された音声データにコピー制限処理を施す音声処理部と
を有する請求項１記載の画像制御装置。
【請求項１１】
前記画像制御装置は、前記第１と第２の映像ソースのうち、主と成る映像ソースに付随した音声データに従たる映像ソースに付随した音声データを所定の割合で混合する音声混合部と、
前記混合された音声データにコピー制限処理を施す音声処理部と、
前記音声データを混合する所定の割合を変化させる音量調整部と
を有する請求項１記載の画像制御装置。
【請求項１２】
前記主と成る映像ソースは、前記表示部分の面積に基づいて選択される、請求項１０ないし１１記載の画像制御装置。
【請求項１３】
前記主と成る映像ソースは、前記表示部分の重なり状態に基づいて選択される、請求項１０ないし１１記載の画像制御装置。
【請求項１４】
複数の映像ソースに基づく画像を合成した合成画像データを出力する画像制御装置と、該合成画像データに基づいて合成画像を表示する表示装置とからなる画像表示システムであって、
該画像制御装置は、コンテンツ保護がなされた第１の映像ソースとコンテンツ保護のなされていない第２の映像ソースとを入力する入力部と、
該第１の映像ソースと該第２の映像ソースとから該合成画像データを生成する画像合成部と、
該第１の映像ソースに基づく合成画像の表示部分に対応する該合成画像データにはスクランブル処理を施し、該第２の映像ソースに基づく合成画像の表示部分に対応する該合成画像データにはスクランブル処理を施さないスクランブル処理部と、
該合成画像データを出力する出力部とを有し、
該表示装置は、該合成画像データを入力する表示入力部と、
該第１の映像ソースに基づく合成画像の表示部分に対応する該合成画像データにはデスクランブル処理を施こし、該合成画像を表示する表示部
とからなることを特徴とする画像表示システム。
【請求項１５】
複数の映像ソースに基づく画像を合成して表示装置に表示させる画像制御装置であって、
コンテンツ保護がなされた第１の映像ソースとコンテンツ保護のなされていない第２の映像ソースとを入力する入力部と、
該第１の映像ソースと該第２の映像ソースとから合成画像データを生成する画像合成部と、
該第１の映像ソースに基づく合成画像の表示部分に対応する該合成画像データには第１のスクランブル処理を施し、
該第２の映像ソースに基づく合成画像の表示部分に対応する該合成画像データには該第１のスクランブル処理とは異なる第２のスクランブル処理を施すスクランブル処理部と、
該合成画像データを出力する出力部とを有することを特徴とする画像制御装置。
【請求項１６】
複数の映像ソースに基づく画像を合成した合成画像データに基づいて画像を表示する表示装置であって、
該合成画像データを入力する表示入力部と、
該合成画像を表示する表示部とを有し、
該合成画像データは、第１のスクランブル処理がなされた第１の映像ソースと第２のスクランブル処理がなされた第２の映像ソースとから生成され、
第１の映像ソースに基づく合成画像の表示部分に対応する該合成画像データには第１のデスクランブル処理を施し、該第２の映像ソースに基づく合成画像の表示部分に対応する該合成画像データには第２のデスクランブル処理を施すことを特徴とする表示装置。
【請求項１７】
複数の映像ソースに基づく画像を合成して表示装置に表示させる画像制御装置の制御方法であって、
コンテンツ保護がなされた第１の映像ソースとコンテンツ保護のなされていない第２の映像ソースとを入力するステップと、
該第１の映像ソースと該第２の映像ソースとから合成画像データを生成するステップと、
該第１の映像ソースに基づく合成画像の表示部分に対応する該合成画像データにはスクランブル処理を施し、
該第２の映像ソースに基づく合成画像の表示部分に対応する該合成画像データにはスクランブル処理を施さないステップと、
該合成画像データを出力するステップとを有することを特徴とする画像制御装置の制御方法。
【発明の詳細な説明】
【技術分野】
【０００１】
本発明は、画像表示システムに関し、詳しくはマルチ画面表示におけるコンテンツ保護のための画像データのスクランブル処理に関する。
【背景技術】
【０００２】
近年、録画装置や放送、ＴＶモニター等のＡＶ機器に於いて、高精細化とともに、デジタル化が進んでいる。その結果、著作権の伴うコンテンツに対する違法コピーが問題視され、何等かのプロテクション機能が用いられる様に成って来た。例えばデジタル放送用チューナーやＨＤ録画装置からＴＶモニターへの画像出力は、ＨＤＭＩ（Ｈｉｇｈ−Ｄｅｆｉｎｉｔｉｏｎ  ｍｕｌｔｉｍｅｄｉａ  Ｉｎｔｅｒｆａｃｅ）と呼ばれるコンテンツ保護機能を有するデジタルＩ／Ｆが用いられ始めた。又、画像入力処理部と表示装置本体を別筐体とし、画像入力処理部から表示装置本体への画像伝送を行なう機種に於いては、画像伝送についても何等かのコンテンツ保護が求められる。
【０００３】
ＴＶモニターはこのＨＤＭＩにて入力された画像データを表示するが、その際、複数のビデオ入力ソースを受け、それぞれ任意のサイズにスケーリングした上で、両者を同時に１つの画面上に表示するマルチウインドウ表示が可能な機種もある。下記特許文献１には、画像入力処理部にてプロテクションが掛かった画像とプロテクションの必要が無い画像をマルチ画合成して、表示装置本体へ画像伝送を行なう場合のコンテンツ保護を行なう事が開示されている。これは、プロテクションが掛かった画像とプロテクションの必要が無い画像をマルチ画合成して表示装置本体へ画像伝送を行なう場合には、プロテクションを施してから出力すると言うものである。
【特許文献１】特開２０００−２１７０７９号公報
【発明の開示】
【発明が解決しようとする課題】
【０００４】
しかし、プロテクションが掛かった画像と共に、画像データの画素データ値が予め判っている画像ソース、例えばテストチャート等のプロテクションの掛かっていない画像をマルチ画合成させた場合、既知の画像データつまりテストチャートの画像データが、どの様なデータに変換されているかを解析する事により、元々プロテクションが掛かった画像のスクランブル方法が判ってしまう。一般的に、機器間の認証処理に於いては充分な暗号化処理が為されているが、リアルタイムで大量のデータ伝送が要求される非圧縮画像データに対しては、複雑なスクランブル処理は不可能である。よって、この様に既知の画像データがどの様なデータに変換されているかを解析することにより、違法なスクランブル解除が可能となる。
【０００５】
具体的には、ウインドウサイズをユーザーが任意に設定可能なシステムの場合、図３に示す様にプロテクションが掛かった画像（ａ）をほんの僅か（例えば９９％）程度縮小し、その背後に１画素ずつ画像データの値がインクリメントされる様なランプ波形を配置した場合を考える。この合成された画像を出力させ、先頭のラインに於いてスクランブルの掛かった画像データをアドレス値として順次インクリメントしたデータをメモリーに記憶させる。するとメモリーのアドレスとデータの関係は、スクランブルデータとオリジナルデータの関係と成り、スクランブル解除用データテーブルと成ってしまう。
【０００６】
これ以降のラインに於ける画像データは、このデータテーブルを逐一参照して置換すれば全てのスクランブルが解除されてしまい、コンテンツ保護を要する画像（ａ）のスクランブルも解除される。このとき、数フレームおきにスクランブル方法を更新する場合であったとしても、１フレーム毎にスクランブル解除用データテーブルを作る事によりスクランブル解除が可能となる。
【課題を解決するための手段】
【０００７】
本発明は、コンテンツ保護が必要な画像データに対してのみスクランブルを掛け、或いはウィンドウ毎に異なるのスクランブルを掛け、どの画素にどの様なスクランブルが施されたかを別途伝える様にしたものである。そしてスクランブルが施された画素を伝達する方法としては、スクランブルが施された矩形エリアの対角位置の座標情報をブランキング期間にコントロールコードで伝えるか、或いは１画素ごとにスクランブルの有無を示す１ビット信号を付加する。
【０００８】
即ち、本発明は、複数の映像ソースに基づく画像を合成して表示装置に表示させる画像制御装置であって、
コンテンツ保護がなされた第１の映像ソースとコンテンツ保護のなされていない第２の映像ソースとを入力する入力部と、
該第１の映像ソースと該第２の映像ソースとから合成画像データを生成する画像合成部と、
該第１の映像ソースに基づく合成画像の表示部分に対応する該合成画像データにはスクランブル処理を施し、
該第２の映像ソースに基づく合成画像の表示部分に対応する該合成画像データにはスクランブル処理を施さない、または第１の映像ソースに対して施されたスクランブル処理とは異なるスクラングル処理を施すスクランブル処理部と、
該合成画像データを出力する出力部とを有することを特徴とする。
【発明の効果】
【０００９】
コンテンツ保護が掛かった画像とコンテンツ保護の掛かっていない既知の画像とを領域分割合成した画像を画像制御装置が再出力する際に、コンテンツ保護が必要な画像データに対してのみスクランブルを掛けると共にどの画素にスクランブルが施されたかの情報を別途表示装置に伝える事により、或いはそれぞれの領域ごとに個別にスクランブルを掛けるととも何れの画素にどの様なスクランブルキーを用いたかの情報を別途伝える事により、コンテンツ保護が掛かった画像のスクランブルの不正解除を防ぐ事が出来る。
【発明を実施するための最良の形態】
【００１０】
［実施形態１］
図１は実施形態１の画像制御装置のブロック図であり、図２は、画像制御装置にケーブル等を介して接続される表示装置のブロック図である。
【００１１】
図１に於いて、複数の映像ソースから、第１のＨＤＭＩ入力端子１０と第２のＨＤＭＩ入力端子２０に入力されたＨＤＭＩ信号は、それぞれ入力部である第１のＴＭＤＳ（Ｔｒａｎｓｉｔｉｏｎ−Ｍｉｎｉｍｉｚｅｄ  Ｄｉｆｆｅｒｅｎｔｉａｌ  Ｓｉｇｎａｌｉｎｇ）レシーバー１１と第２のＴＭＤＳレシーバー２１で受信され、それぞれ画像データと音声データとに分離されて出力される。画像データは第１の暗号復号ブロック１２及び第２の暗号復号ブロック２２にて必要に応じてスクランブルを解くとともに、スクランブル領域情報を画像制御ＣＰＵ４０に伝える。又、第１のＴＭＤＳレシーバー１１と第２のＴＭＤＳレシーバー２１でパケット化されて受信した音声データはシリアルデータ化され、切り替えＳＷ１４４に送られる。第１の暗号復号ブロック１２及び第２の暗号復号ブロック２２にてスクランブルを解かれた画像データは、それぞれ第１の解像度変換ブロック１３と第２の解像度変換ブロック２３に於いて、画像制御ＣＰＵ４０から指示により拡大／縮小処理が為された後、画像合成部４６にてマルチ画合成が為され合成画像データが生成される。合成画像データは、スクランブル処理部４７にて画像制御ＣＰＵ４０の指示に応じてスクランブル処理が為された上でＴＭＤＳトランスミッター４８に入力される。又、画像制御ＣＰＵ４０から指示により、音声選択部１４４にて選択された音声データもＴＭＤＳトランスミッター４８に入力される。ＴＭＤＳトランスミッター４８では画像データと音声データをエンコードし、この出力は伝送出力端子４９より表示装置に伝送される。
【００１２】
次に、表示装置について説明する。図２に於いて、画像制御装置からの伝送信号は、伝送入力端子５０に入力され表示入力部であるＴＭＤＳレシーバー５１にて受信する。画像データは第３の暗号復号ブロック５２にて必要に応じてスクランブルを解くとともに、スクランブル領域情報を表示ＣＰＵ７０に伝え、音声データは音声データ復号器１５２に送られる。第３の暗号復号ブロック５２からの出力は表示処理ブロック５８にて表示部６０に描画すべく処理を施した上で表示部６０に対して再伝送画像として出力される。音声データ復号器１５２からの出力も音声処理ブロック１５８にて音声再生すべく処理を施され、不図示の音声再生器に出力される。
【００１３】
さて、図１の第１のＨＤＭＩ入力端子１０と第２のＨＤＭＩ入力端子２０から入力されたＨＤＭＩ信号の内一方のみが、例えば第１のＨＤＭＩ入力端子１０から入力された信号のみプロテクションの施されていた場合、画像制御ＣＰＵ４０は画像合成部４６にてマルチ画合成が為された表示画像の内の、第１のＨＤＭＩ入力端子１０からの表示部分に対してのみスクランブルを施す指示を、暗号化ブロック４７に対して発するとともに、ＴＭＤＳトランスミッター４８からスクランブルの施されたエリアを示すスクランブル領域情報をコントロールコードにて伝える。このコントロールコードは、非有効画像期間にのみ伝送出来る信号であり、被スクランブルエリアの左上と右下に相当する対角画素アドレスにて垂直ブランキング期間にコントロールコードとして伝える。即ち、所定フレームごとにスクランブル領域情報が通知される。例えば、１フレーム（インターレース走査の場合は１フィールド）の開始時点に、これに続く画像データのスクランブル領域を伝えることができる。例えば図３（ｃ）の場合であれば、左上すなわち始点９５のＸ，Ｙ座標と、右下すなわち終点９６のＸ，Ｙ座標を伝える。或いは、始点９５のＸ，Ｙ座標と、そこから水平／垂直２方向の画素数を伝達するものでも良い。また、本実施形態では、スクランブル処理を施す領域を指定したスクランブル領域情報を表示装置に通知したが、逆にスクランブル処理を施さない領域を指定した非スクランブル領域情報を表示装置に通知してもよい。
【００１４】
当然ながら全画面にスクランブルを施す必要の有る時は、全画面がスクランブル領域と成る始点／終点アドレスを送付する。また、全画面が全くスクランブルを施す必要の無い画像である場合には、始点／終点アドレスともに（０、０）を送付する。
【００１５】
音声データは、第１のＨＤＭＩ入力端子１０、第２のＨＤＭＩ入力端子２０、何れの端子から入力された音声を再生するかをＣＰＵ４０が判断し、音声選択部である切り替えＳＷ１４４を制御する。そして切り替えＳＷ１４４が選択した音声データはコピー制限情報等が付加されたままＴＭＤＳトランスミッター４８に送られ、パケット化した後暗号化ブロック４７からの画像データ及び前述のコントロールコードと共に伝送出力端子４９より表示装置に伝送される。
【００１６】
これを受信した図２の表示装置は、表示ＣＰＵ７０にて暗号復号の指示を暗号復号ブロック５２に対して発し、コントロールコードにて示された２つのアドレスに囲まれた矩形領域をスクランブル範囲として適宜スクランブル解除処理を行う。
【００１７】
尚、スクランブル領域の伝達は、一垂直期間毎に行なうものであっても、変更が生じた時にのみ行なうものであっても良い。或いは定期的に、例えば１２８フレーム毎に行なうものであっても良い。
【００１８】
以上、第１のＨＤＭＩ入力端子１０及び第２のＨＤＭＩ入力端子２０から入力される場合について説明して来たが、本発明はＨＤＭＩ入力の映像ソースに限定されるものでは無い。例えばスクランブル放送の様なプロテクションが掛かった放送用チューナからの信号や、ＤＶＤ等のパッケージソフトからの再生信号に対しても同様である。
【００１９】
［実施形態２］
実施形態２は、スクランブル領域の表示装置への通知方法が、実施形態１と異なる。図４は、ＴＭＤＳトランスミッター４８から出力される合成画像データの出力タイミングを示すタイミングチャートである。同図（ａ）は水平同期信号、（ｂ）はイネーブル信号、（ｃ）は画像データ、そして（ｄ）がスクランブル領域を伝えるコントロールコードのタイミングを示している。このコードは、水平方向のアドレスのみを示すものであり、そのラインでのスクランブル開始位置と終了位置とを、各走査ごとに伝える。
【００２０】
或いはスクランブル開始位置と終点までの画素数を、各走査ごとに伝えるものでも良い。
【００２１】
いずれの場合も、スクランブルが不要のラインには始点／終点ともに“０”を伝える。
【００２２】
［実施形態３］
実施形態３の画像制御装置のブロック図を図５に、表示装置のブロック図を図６に、それぞれ示す。
【００２３】
画像制御装置に於ける画像データに関する処理は、第１、第２の解像度変換ブロック１３、２３による拡大／縮小処理までは、実施形態１及び２と同じである。第１、第２の解像度変換ブロック１３、２３の出力データは、スクランブル処理部である第１系統用暗号化ブロック１７及び第２系統用暗号化ブロック２７にて、それぞれ独立して互いに異なる暗号キーにてスクランブル処理が施される。各々スクランブル処理された画像データは、画像合成部４６にてマルチ画合成されてからＴＭＤＳトランスミッター４８に送られる。
【００２４】
一方、第１、第２のＴＭＤＳレシーバー１１、１２からの音声データは、それぞれ第１の音声復号ブロック１１２と第２の音声復号ブロック１２２にて一旦復号された後、音量調整部である第１のアッテネータ１１３及び第２のアッテネータ１２３にて、画像制御ＣＰＵ４０の指示に従ってそれぞれ音量調整が為され、音声混合部１４６にてミックスされる。そして音声処理部としての音声用エンコーダ１４７にてコピー制限情報の付加等、音声用コンテンツ保護処理が為され、ＴＭＤＳトランスミッター４８に送られる。ＴＭＤＳトランスミッター４８は、この音声データと前述の合成画像データ、画像制御ＣＰＵ４０からのスクランブル領域情報を含んだコントロールコードと共にエンコードし、は伝送出力端子４９より表示装置に伝送される。
【００２５】
この時のコントロールコードに於けるスクランブル領域情報の伝達方法を、図７のマルチ画合成例を用いて説明する。今、図３と様に画像９０と画像９２がそれぞれ縮小され、画像９２が上側に配置されるように合成されているとする。この場合、画像９２の画像の始点アドレスは９７であり、この指定方法は実施形態１の場合と同じである。一方、下側に配置された画像９０の画像の終点アドレスは、上側に配置されたと仮定した場合の終点アドレス座標９８を用いる。そして画像９０が上位レイヤーである旨の情報も併せて伝える。
【００２６】
表示装置は、この様な２種類の異なるスクランブルキーにて個別に暗号化処理が為された画像データに対応すべく、図６の様に２系統の暗号復号ブロック５２、６２を備え、コントロールコードに於けるスクランブル領域情報に基づきエリア毎に切り換えＳＷ５６を切り換える事で対応する。
【００２７】
次に、画像制御ＣＰＵ４０が第１のアッテネータ１１３、第２のアッテネータ１２３に対して指示するアッテネート量についてであるが、画像制御ＣＰＵ４０は、どちらの画像がメイン画像であるかをウインドウサイズ若しくはレイヤーの上下をもって判断して、メイン画像に対応する音声を主とし他方のサブ画像に対応する音声を副として決定する。図７で示した表示例であれば、画像９０に対応する音声を主音声とし、これに画像９２に対応する音声を副音声として、主音声より小音量で主音声にミックスさせる。
【００２８】
［実施形態４］
実施形態４の画像制御装置のブロック図を図８に示す。同図に於いて図１並びに図５示した回路ブロックと同等のものには同じ番号が付されている。実施形態１〜３との相違点は、表示装置への伝送方式がＬＶＤＳ（Ｌｏｗ−Ｖｏｌｔａｇｅ  Ｄｉｆｆｅｒｅｎｔｉａｌ  Ｓｉｇｎａｌｉｎｇ）伝送を用いる点である。ＴＭＤＳは、イネーブル期間には画像データのみを、非イネーブル期間にはコントロールコード若しくは音声データのみを伝送するが、ＬＶＤＳの場合にはその様な制約は無い。図９はＬＶＤＳにて表示装置に伝送される合成画像データの出力タイミングを示し、同図（ａ）は水平同期信号、（ｂ）はイネーブル信号、（ｃ）は合成画像データのタイミングである。そして（ｃ）に示されるように、スクランブル領域を指定するコード９７が、水平ブランキング期間の画像データに重畳されて伝送される。
【００２９】
このコードも実施形態２同様、水平方向のアドレスのみを示すものであり、そのラインでのスクランブル開始位置と終了位置とを、各フレーム走査ごとに伝える。そしてこの場合にも、スクランブルが不要のラインには始点／終点ともに“０”を伝える。
【００３０】
［実施形態５］
図１０は実施形態５における画像制御装置のブロック図であり、図１、図５、図８に示したブロック図と同等の機能を有する構成には同一の番号が付されている。実施形態１〜４との相違点は、ＯＳＤ（Ｏｎ−Ｓｃｒｅｅｎ  Ｄｉｓｐｌａｙ）発生器３５が追加されている点である。
【００３１】
ＯＳＤ発生器３５は画像制御ＣＰＵ４０の指示により、画像合成部４６に対し画面表示用キャラクタ信号を発生する。画像合成部４６では画素ごとにスクランブルを施すべきか否かを示す判定情報としてのスクランブル信号を付加して、スクランブル処理部４７に出力する。スクランブル処理部４７では、スクランブル信号の指示に基づき画素ごとにスクランブル処理を掛け、次段のＬＶＤＳトランスミッター４８１から表示装置に対し、合成画像データと水平／垂直同期信号、スクランブル領域情報としてのスクランブル信号を出力する。
【００３２】
この時の表示画像と各信号のタイミングの関係を表したものが図１１である。合成表示画像は、コンテンツ保護の不要な画像エリア９１、コンテンツ保護を要する画像エリア９０、及び重ねられたＯＳＤ９３とからなる。この表示画像上点線１００で示したライン上の画素では、（ａ）〜（ｃ）で示されるようなタイミングで各々水平同期信号、イネーブル信号、スクランブル信号が入力されている。同様に、点線２００で示したライン上の画素では、（ｄ）〜（ｆ）で示されるようなタイミングで、各々水平同期信号、イネーブル信号、スクランブル信号が入力されている。
【００３３】
点線１００に示す様なスクランブル不要のライン上の画素には、（ｃ）で示すように何れの画素に対してもスクランブル処理はなされないが、点線２００に示す様なスクランブル処理が必要なライン上の画素では、（ｆ）で示されるように、画素単位でスクランブル処理の有無を示す判定情報がスクランブル領域情報に含まれる。
【００３４】
（ｆ）において、ｔ１は有効画像範囲がスタートするタイミングで、ｔ２はスクランブル不要画像からスクランブル必要画像への切り替わりタイミング、ｔ３からｔ４はＯＳＤ表示部分に相当するタイミング、ｔ５は有効画像範囲が終了するタイミングを表している。この様にスクランブル処理が必要なｔ２からｔ５までの期間の内、ＯＳＤが重ねられていない画素に対してのみ、スクランブル処理が為されスクランブル信号が“Ｈ”と成る。
【図面の簡単な説明】
【００３５】
【図１】実施形態１の画像制御装置のブロック図
【図２】実施形態１の表示装置のブロック図
【図３】実施形態１の再伝送画像の表示例
【図４】実施形態２の再伝送画像データのタイミングチャート
【図５】実施形態３の画像制御装置のブロック図
【図６】実施形態３の表示装置のブロック図
【図７】実施形態３の再伝送画像の表示例
【図８】実施形態４の画像制御装置のブロック図
【図９】実施形態４の再送出画像データのタイミングチャート
【図１０】実施形態５の画像制御装置のブロック図
【図１１】実施形態５の再伝送画像の表示例及び再伝送画像データのタイミングチャート
【符号の説明】
【００３６】
１０、２０  ＨＤＭＩ入力端子
１１、２１、５１  ＴＭＤＳレシーバー
１２、２２、５２、６２  暗号復号ブロック
１３、２３  解像度変換ブロック
１７、２７、４７  画像暗号化ブロック
３５  ＯＳＤ発生器
４０  画像入力処理部ＣＰＵ
４６  画面合成ブロック
４８、４８１  伝送用トランスミッター
４９  伝送出力端子
５０  伝送入力端子
５６  画像信号切り換えＳＷ
１１２、１２２、１５２  音声復号器
１１３、１２３  アッテネータ
１４４  音声切り換えＳＷ
１４６  音声用加算器
１４７  音声用エンコーダ
【図１】
2006295308.tif 000003
【図２】
2006295308.tif 000004
【図３】
2006295308.tif 000005
【図４】
2006295308.tif 000006
【図５】
2006295308.tif 000007
【図６】
2006295308.tif 000008
【図７】
2006295308.tif 000009
【図８】
2006295308.tif 000010
【図９】
2006295308.tif 000011
【図１０】
2006295308.tif 000012
【図１１】
2006295308.tif 000013